(57)【要約】      （修正有）【課題】特定の技能を有さない全ての年齢層が、モジュールからさまざまな製品を手動で製造できるモジュール式織物構成機を提供する。【解決手段】縫い目なくさまざまな製品を製造するためのモジュールのセットで構成される織物モジュール式構成機であり、さまざまな織り糸の環状糸２から作られ、ベルト形状を有するモジュール１によって実現される。ジグザグ形になるように、機械の最下部の真下の先頭部分上に１つの環状糸を置き、モジュールの輪が外縁において形成可能となるようにして、ジグザグ形の中央５に新しい環状糸を通して、中央をミシンによって留める。この連続プロセスによって、必要とされる長さの個々のモジュールに切断可能なベルトが形成される。モジュール間の連結および分離は、連続的なチェーン状の編み込み６による、「輪から輪内へ」、「輪の外の輪へ」の原理に従って、手動で行われる。【選択図】図１−２
0003199710.tif 000002
【実用新案登録請求の範囲】
【請求項１】
多機能であるとの意味では異なっているが、縫い目なくさまざまな製品を製造するためのモジュールのセットで構成されるモジュール式織物構成機であって、前記モジュールは、さまざまな織り糸の環状糸によるベルト形態によって、機械による方法で実行され、前記モジュールを製造するために、ジグザグ形になるように、前記機械の最下部の真下の先頭部分上に１つの環状糸を置き、前記モジュールの輪が外縁において形成可能となるようにし、まっすぐに、前記ジグザグ形の中央を通して、新しい環状糸を供給し、その中央を、任意の既知の種類のミシンによって留め、このような連続プロセスによって、必要とされる長さの個々のモジュールに切断可能なように準備された前記モジュールのベルトが形成され、モジュール間の連結および分離は、連続的なチェーン状の編み込みによる、「輪から輪内へ」、「輪の外の輪へ」の原理に従って、手動で行われ、製品の構成および変形は、相互連結可能な輪およびモジュールの数を製品の色および生地に基づいて変化させることによって行われ、前記輪が分離されないように、個々の糸部分によってまたは別の既知の方法によって、最後の輪は留められる、モジュール式織物構成機。
【考案の詳細な説明】
【技術分野】
【０００１】
本考案は、軽衣料産業に属し、異なる製品を縫い目なく製造するために使用可能であり、教育用ゲームおよび訓練装置としても使用可能である。
【背景技術】
【０００２】
当技術水準によると、製品を縫い目なく製造するためのモジュールのセットが知られており、布地、毛皮、革、糸によって作られる。
【０００３】
これらモジュールの欠点は、当該モジュールが、複雑で、かつ、大部分がうねった形状を有することであり、これによって、それらモジュールの製造プロセスに時間がかかり、それらモジュールからの異なる製品の生産には特定の技能を要するため、それらモジュールの使用はある程度限定される。
【先行技術文献】
【特許文献】
【０００４】
【特許文献１】ロシア特許第２２３１５８６号明細書
【特許文献２】ロシア特許第２２７２５５１号明細書
【特許文献３】ロシア実用新案第９９２８８号公報
【考案の概要】
【考案が解決しようとする課題】
【０００５】
本考案の目的は、産業的に簡易な形態のモジュールを作り出すことで、特定の技能を持たない全ての年齢区分層が、当該モジュールから異なる製品を製造することができるようにすることである。
【課題を解決するための手段】
【０００６】
この考案において、機能性は類似物よりも大幅に広がっている。これは本考案の技術的結果である。
【０００７】
縫い目なくさまざまな製品を製造するための提案されたモジュール式織物構成機の基本的な特徴は、その多機能性であり、さまざまな目的に対して使用される能力である。
【０００８】
モジュールは、機械によって、さまざまな織り糸の環状糸から作られ、ベルト形状を有する。モジュールを製造するために、ジグザグ形になるように、機械の最下部の真下の先頭部分上に１つの環状糸を置き、モジュールの輪が外縁において形成可能となるようにする。まっすぐに、ジグザグ形の中央を通して、新しい環状糸を供給し、その中央を、任意の既知の種類のミシンによって留める。このようなプロセスによって、必要とされる長さの個々のモジュールに切断可能なように準備されたモジュールの連続ベルトが形成される。モジュール間の連結および分離は、連続的なチェーン状の編み込みによる、「輪から輪内へ」、「輪の外の輪へ」の原理に従って、手動で行われる。製品の構成および変形は、相互連結可能な輪およびモジュールの数を製品の色および生地に基づいて変化させることによって行われる。輪が分離されないように、個々の糸部分によってまたは別の既知の方法によって、最後の輪は留められる。
【図面の簡単な説明】
【０００９】
【図１】モジュールの全体図である。
【図２】２つのモジュールの、連続してチェーン状に撚り合わせた輪の図であり、その編み物の最後の輪をどのようにして留めるかを示す図である。
【考案を実施するための形態】
【００１０】
織物構成機のモジュールは、さまざまな織り糸からできた環状糸２から製造されるリボン形状１のモジュールのセットで構成される。モジュール１を製造するために、ジグザグ形３になるように、機械の最下部の真下の先頭部分上に１つの環状糸を置き、モジュールの輪４が外縁において形成可能となるようにする。このプロセスによって、必要とされる長さの個々のモジュールに切断可能な完成モジュール１の連続ベルトが形成される。モジュール１間の連結および分離は、連続的なチェーン状の編み込み６による、「輪から輪内へ」、「輪の外の輪へ」の原理に従って、手動で行われる。製品の構成および変形は、相互連結可能な輪４およびモジュール１の数を製品の色および生地に基づいて変化させることによって行われる。輪が分離されないように、個々の糸部分２によってまたは別の既知の方法によって、最後の輪４は留められる。
【００１１】
モジュール式織物構成機の多機能性は以下のように使用される。
【００１２】
１．モジュール式織物構成機を、成人用、ならびに、衣料、アクセサリおよびインテリア用品の製造用構成機として使用することができる。モジュールのセットによって、提供されたサンプルに従って、または、好みや要望に従って、製品を生産することができる。製品を迅速に分解して別のものを作ること、または、既に組み立てられたモジュール式製品を部分的に解体し、それを異なった順序で組み立てることによって、当該製品を変えることができる。
【００１３】
２．モジュール式織物構成機を、提案されたモジュールの織物製品を容易く製造し、当該モジュールの連結および分離を、５歳以上の子供ができるようにする、子供の発育のためのゲームとして使用することができる。
【００１４】
３．モジュール式織物構成機を、医療目的のための訓練装置として使用することができる。モジュールを連結および分離することによって、精神的外傷に苦しんでいる、または、手術を受けた人が、自身の指を訓練し、その結果、自身の運動機能を回復させることができる。
【００１５】
モジュール式織物構成機の多機能性は、先述した例に限定されない。モジュール式織物構成機による経験を積むことによって、当該構成機の機能を大幅に拡大することができる。
【図１−２】
0003199710.tif 000003
【手続補正書】
【提出日】平成27年6月1日(2015.6.1)
【手続補正１】
【補正対象書類名】実用新案登録請求の範囲
【補正対象項目名】全文
【補正方法】変更
【補正の内容】
【実用新案登録請求の範囲】
【請求項１】
多機能であるとの意味では異なっているが、縫い目なくさまざまな製品を製造するためのモジュールのセットで構成されるモジュール式織物構成機であって、前記モジュールは、さまざまな織り糸の環状糸によるベルト形態によって、機械による方法で実行され、前記モジュールを製造するために、ジグザグ形になるように、前記機械の最下部の真下の先頭部分上に１つの環状糸を置き、前記モジュールの輪が外縁において形成可能となるようにし、まっすぐに、前記ジグザグ形の中央を通して、新しい環状糸を供給し、その中央を、任意の既知の種類のミシンによって留め、このような連続プロセスによって、必要とされる長さの個々のモジュールに切断可能なように準備された前記モジュールのベルトが形成され、モジュール間の連結および分離は、連続的なチェーン状の編み込みによる、「輪から輪内へ」、「輪の外の輪へ」の原理に従って、手動で行われ、製品の構成および変形は、相互連結可能な輪およびモジュールの数を製品の色および生地に基づいて変化させることによって行われ、前記輪が分離されないように、個々の糸部分によってまたは別の既知の方法によって、最後の輪は留められる、モジュール式織物。